(57)【要約】      （修正有）【課題】２種以上の素材によって構成され、絞りやすく、乾かしやすく、扱いが容易なタオルを提供する。【解決手段】素材が異なる複数の布材によって構成されているタオルＸであって、布材は、第一布材１と、第二布材２と、を備え、第一布材と、第二布材と、は、互いに接合される接合部Ｊを有し、さらに第一布材は、第二布材と重なる第一布材本体１１と、接合部から延設され、第二布材と重ならないように設けられる延設布１２と、を有する。接合部は第二布材の端部に位置するのが好ましい。【選択図】図１
0003231830.tif 000002
【実用新案登録請求の範囲】
【請求項１】
素材が異なる複数の布材によって構成されているタオルであって、
前記布材は、第一布材と、第二布材と、を備え、
前記第一布材と、前記第二布材と、は、互いに接合される接合部を有し、
さらに前記第一布材は、前記第二布材と重なる第一布材本体と、前記接合部から延設され、前記第二布材と重ならないように設けられる延設布と、を有するタオル。
【請求項２】
前記接合部は前記第二布材の端部に位置する請求項1に記載のタオル。
【請求項３】
前記第一布材は、略長方形状であって、
前記第一布材の短辺方向に前記接合部が設けられる請求項１又は２に記載のタオル。
【請求項４】
前記延設布は、前記第一布材本体よりも布面積が狭い請求項１〜３の何れかに記載のタオル。
【請求項５】
前記第一布材の面と、前記第二布材の面と、を、取り外し可能に係合する係合部が設けられている請求項１〜４の何れかに記載のタオル。
【請求項６】
前記第一布材は、前記第二布材に比して吸水性の低い素材によって形成されている請求項１〜５の何れかに記載のタオル。
【請求項７】
前記第一布材は、前記第二布材に比して目の粗い素材によって形成されている請求項１〜６の何れかに記載のタオル。
【考案の詳細な説明】
【技術分野】
【０００１】
本考案は、身体の洗浄に用いるタオルに関する。
【背景技術】
【０００２】
タオルを用いて身体の洗浄を行うにあたっては、石鹸等の洗浄材をタオルに付加して泡立てる工程と、身体を洗浄する工程と、身体についた水滴をタオルでふき取る工程が含まれる。
【０００３】
泡立てる工程は、洗浄剤と空気とを混合させることによって行う。そのため本工程に用いるタオルは、目が粗く、吸水性が比較的低い、ナイロンなどの化学繊維を使って製造されたタオルを用いることが好ましい。
【０００４】
一方、身体についた水滴をふき取る工程に用いるタオルは、水滴を吸収するために、目が細かく、吸水性が高い、木綿や綿などの天然繊維を使って製造されたタオルを用いることが好ましい。
【０００５】
すなわち、泡立てる工程と、水滴をふき取る工程と、では、別々の素材のタオルを使用することが好ましくある。しかしながら、タオルを２つ持ち運ぶことは手間がかかる。このような課題を解決するタオルの構造が、例えば特許文献１に記載されている。
【先行技術文献】
【特許文献】
【０００６】
【特許文献１】実用新案登録３０９８４８０号公報
【考案の概要】
【考案が解決しようとする課題】
【０００７】
特許文献１に記載のタオルは、ナイロン製のタオルと、木綿性のタオルと、が表裏一体に接合して構成されている。これによって、洗浄の工程に応じて別の素材を使い分けることができるようになっていた。
【０００８】
一方で、特許文献１に記載のタオルは、単純に２種類のタオルを接合しただけの構成であるため、タオルが全体として厚くなり絞りにくくなることや、タオル同士の接合面が乾きにくいことなどがあり、これらの点において改良の余地があった。
【０００９】
本考案は、上述の改良の余地に鑑みて、２種以上の素材によって構成された、扱いが容易なタオルを提供することを目的とする。
【課題を解決するための手段】
【００１０】
上記課題を解決する本考案は、素材が異なる複数の布材によって構成されているタオルであって、前記布材は、第一布材と、第二布材と、を備え、前記第一布材と、前記第二布材と、は、互いに接合される接合部を有し、さらに前記第一布材は、前記第二布材と重なる第一布材本体と、前記接合部から延設され、前記第二布材と重ならないように設けられる延設布と、を有するタオルである。
【００１１】
このような構成にすることによって、複数種類の布材の使い分けが容易にでき、従来のタオルと比べて乾かしやすいタオルを提供することができる。
【００１２】
本考案の好ましい形態では、前記接合部は前記第二布材の端部に位置する。
【００１３】
このように構成することによって、前記第一布材本体と、前記第二布材と、が、３重以上に重なる部分が生じないため、従来のタオルと比べてより乾かしやすくすることができる。
【００１４】
本考案の好ましい形態では、前記第一布材は、略長方形状であって、前記第一布材の短辺方向に前記接合部が設けられる。
【００１５】
このように構成にすることによって、前記タオルの全長を長く構成することができるため、身体の洗浄時の取り扱いを容易にすることができる。
【００１６】
本考案の好ましい形態では、前記延設布は、前記第一布材本体よりも布面積が狭い。
【００１７】
このように構成することによって、前記第一布材と前記第二布材とを重ね合わせた状態におけるタオルＸの長さを短くコンパクトにすることができるため、収納時の取り扱いを容易になる。
【００１８】
本考案の好ましい形態では、前記第一布材の面と、前記第二布材の面と、を、取り外し可能に係合する係合部が設けられている。
【００１９】
このように構成することによって、前記第一布材と、前記第二布材と、を、重ね合わせた状態を維持することができるようになるため、前記タオルの全体に洗浄剤をなじませる際の取り扱いが容易になる。
【００２０】
本考案の好ましい形態では、前記第一布材は、第二布材に比して吸水性の低い素材によって形成されている。
【００２１】
このような構成にすることによって、前記第一布材の水切れが前記第二布材に比べて良くなるため、泡立ち性能が比較的高くなる。これによって前記第一布材に泡立たせる役割を持たせ、状況による布材の使い分けを容易にすることができる。
【００２２】
本考案の好ましい形態では、前記第一布材は、前記第二布材に比して目の粗い素材によって形成されている。
【００２３】
このような構成にすることによって、前記第一布材が前記第二布材に比べて空気を含みやすくなるため、泡立ち性能が比較的高くなる。これによって前記第一布材に泡立たせる役割を持たせ、状況による布材の使い分けを容易にすることができる。
【考案の効果】
【００２４】
上記の構成によって、２種以上の素材によって構成された、扱いが容易なタオルを提供することができるようになる。
【図面の簡単な説明】
【００２５】
【図１】本考案の実施形態に係る、タオルの模式図である。
【図２】本考案の実施形態に係る、タオルの構造に係る模式図である。
【図３】本考案の実施形態に係る、タオルの側面図である。
【図４】本考案の実施形態に係る、タオルを伸ばした状態の斜視図である。
【図５】本考案の実施形態に係る、タオル掛けに干された状態のタオルを表す模式図である。
【考案を実施するための形態】
【００２６】
以下、図面を用いて、本考案の各実施形態に係るタオルについて説明する。説明は、まず本考案の各構成についての解説を行い、次に本考案の使用方法についての解説を行い、最後に変更例についての解説を行う形式を採る。
なお、以下に示す実施形態は本考案の一例であり、本考案を以下の実施形態に限定するものではない。
【００２７】
図１は、本考案の実施形態に係るタオルの全体像を表しており、符号Ｘは、本考案のタオルの全体を示している。
図１に示すように、本願考案に係るタオルＸは、目の粗い布材である第一布材１と、目の細かい布材である第二布材２と、によって構成されている。
【００２８】
図２に示すように、第一布材１と、第二布材２と、は、略長方形の布材であって、それらの短辺は両布材が略同一幅となり、それらの長辺は第一布材１の方が長くなるように構成されている。
第一布材１と第二布材２との一端同士を重ね合わせた状態において、第二布材２の他端は、第一布材１と接合する縫いしろである接合部Ｊとなり、両布材は接合部Ｊにおいて重ね合わせた状態で縫合されて接合される。これにより第一布材１における接合部Jは、長さ方向の２つの端部の間に生じる。
なお、接合部Jの幅は第二布材２の端部から２〜５ｃｍ程度であることが好ましく、強固に接合するために縫合は２回以上重ねて行うとよい。
【００２９】
第一布材１は、第二布材２と重なり合う第一布材本体１１と、前述した接合部Jと、接合部Jに連接して延設される延設布１２と、によって構成されている。
なお、第一布材１は、ナイロンやレーヨン等の吸水性の低い化学繊維によって形成されていることが好ましい。
【００３０】
第一布材本体１１は、略長方形状の布材であって、凹係止部Ｈ１が、長辺の中央部と下端部に２つずつ、それぞれの長辺の近傍に配置されて設けられている。
【００３１】
凹係止部Ｈ１は、後述する凸係止部Ｈ２を篏合することによって係止めする凹部を有する部品であって、第一布材本体１１の裏表を挟み込んだ状態で固定されている。
【００３２】
図１及び図２に示すように、延設布１２は、第一布材１と同一素材の布材であって、その面積は第一布材本体１１よりも小さくなるように構成されている。
なお、接合部Ｊから延設布１２までの長さは、２０〜２５ｃｍ程度であることが好ましい。
【００３３】
図１及び図２に示すように、第二布材２は、第一布材本体１１と重なる第二布材本体２１と、接合部Ｊと、が一体となって構成されている。
なお、第二布材２は、木綿や綿などの天然繊維や、ポリエステルなど、吸水製の良い繊維によって形成されていることが好ましい。
【００３４】
第二布材本体２１には、第一布材本体と略同一形状、同一の大きさの長方形の布材であって、凸係止部Ｈ２が、第一布材本体１１に設けられる凹係止部Ｈ１と対応する位置にそれぞれ設けられている。
【００３５】
凸係止部Ｈ２は、凹係止部Ｈ１に篏合することによって係止めする凸部を有する部品であって、第二布材本体２１の裏表を挟み込んだ状態で固定されている。
【００３６】
図３（ａ）、（ｂ）に示すように、係止部Ｈは、前述した凹係止部Ｈ１と、凸係止部Ｈ２と、によって構成されており、それぞれの凹凸が篏合することによって第一布材本体１１と第二布材本体２１とを取り外し可能に係合する。
【００３７】
図３（ｂ）には、凹係止部Ｈ１と凸係止部Ｈ２とが篏合している様子を表す拡大図を示す。本図において係止部Ｈは、所謂スナップボタンとして表されている。
凸係止部Ｈ２の有する凸部Ｈ２１の先端は、凹係止部Ｈ１が有する凹部Ｈ１１の開口よりも幅広であるが、両者あるいは片方が弾性変形することによって篏合し、係止される。
【００３８】
また、凸係止部Ｈ２における凸部Ｈ２１の周囲には凸部と同じ高さの周壁Ｈ２２が設けられているため、凸係止部Ｈ２の上端の断面積が凸部Ｈ２１のみの場合よりも大きくなっている。これにより凸部Ｈ２１に当接される面にかかる圧力を軽減することができる。
【００３９】
なお、係止部Ｈは、ハトメ材とフック材によって構成されていてもよく、通常のボタンを利用してもよく、面ファスナー同士を接合することによって形成されていてもよい。
【００４０】
また凹係止部Ｈ１と、凸係止部Ｈ２と、は、それぞれ第二布材本体２１と、第一布材本体１１と、に設けられていてもよい。
一般に、凹係止部Ｈ１の方が当接した際の圧力を小さくすることができるため、第二布材本体２１を身体の洗浄に使用する場合は、このように構成することが好ましい。
【００４１】
以下、図面を用いて、実施形態における使用方法について詳述する。
【００４２】
≪第一の使用形態≫
本考案は、身体を洗浄することを目的として行動する使用者によって使用される。
【００４３】
まず、使用者は、第一布材本体１１と、第二布材本体２１と、を重ね合わせ、係止部Ｈを係止することで一時的に固定する。
【００４４】
次に、使用者は、延設布１２に石鹸や洗剤を添加し、泡立てる。
ここで、延設布１２は第二布材本体２１と比べて、目が粗く、吸水性が低い素材で構成されているため、泡立ちがよい。使用者はこの泡を用いて洗顔することもできる。
【００４５】
次に、使用者は、立てた泡を第一布材の全体になじませる。延設布１２は第一布材本体１１と一体になっているため、スムーズに泡をなじませることができる。十分になじんだことを確認したら、使用者は第一布材の面を用いて身体の洗浄を行う。
【００４６】
なお、使用者が背中を洗う際には、図４に示すように、係止部Ｈを取り外すことが好ましい。
このようにすることによって、タオルＸの全長が長くなり、背中が大きい使用者でも背中を簡便に洗浄することができる。
【００４７】
最後に、使用者は、身体を流し、身体に残った水滴を、第二布材２を用いてぬぐう。
ここで、第二布材２は吸水性の高い素材であるため、水滴をぬぐいやすい。
また、タオルＸを、係止部Ｈを取り外した状態とすることで、第二布材２を簡便に絞ることができる。
【００４８】
上記操作を行うことで、身体の洗浄の際の扱いが容易となる。
【００４９】
≪第二の使用形態≫
また、本考案は、サウナ等において、股間を隠しながら座す目的を持つ使用者によっても使用される。
【００５０】
まず、使用者は、係止部Ｈを取り外し、タオルＸを図４に示すような状態とする。その状態のタオルＸを着座しようとする面に敷き、第一布材１の上に腰掛ける。
【００５１】
次に、使用者は、第二布材２を股間の上に覆いかぶせることで、股間を隠す。
【００５２】
上述の操作を行うことによって、使用者は座した状態で簡便に股間を隠すことができるようになる。
また、床面と使用者の臀部が直接触れず、さらに上半身から流れる汗が第二布材２に吸収されるため、座した面を清潔に保つことができる。
【００５３】
≪第三の使用形態≫
また、本考案は、本考案の実施形態に係るタオルＸを乾かす目的を持つ使用者によって使用される。
本実施形態の使用者は、タオル掛けＹを利用する。
タオル掛けＹは、タオルＸの幅よりも長い掛部Ｙ１が地面から３０〜８０ｃｍ程度離れた場所に平行に連続して複数設けられており、ここにおいてタオルＸを掛けることができるように構成されている。
【００５４】
使用者は、タオルＸを十分絞った後、図５に示すように、タオル掛けＹに掛ける。
すなわち、第一布材本体１１と、第二布材本体２１と、接合部Ｊと、がそれぞれ異なる掛部Ｙ１に接するようにタオルＸを掛ける。
【００５５】
このようにタオルＸを掛けることによって、布材同士が互いに接することが無くなるため、タオルＸを効率よく乾燥させることが出来るようになる。
【００５６】
なお、上記実施形態は、本考案の一例であり、他の変更例も考えられる。
【００５７】
例えば、延設布１２は、第一布材本体１１と異なる、第一布材本体よりも泡立ちが良い素材を用いてもよく、このように構成することによって、より洗顔等に適したタオルＸを提供することができるようになる。
【符号の説明】
【００５８】
Ｘ      タオル
１      第一布材
１１    第一布材本体
１２    延設布
２      第二布材
２１    第二布材本体
Ｊ      接合部
Ｈ      係止部
Ｈ１    凹係止部
Ｈ２    凸係止部
Ｙ      タオル掛け
Ｙ１    掛部
【図１】
0003231830.tif 000003
【図２】
0003231830.tif 000004
【図３】
0003231830.tif 000005
【図４】
0003231830.tif 000006
【図５】
0003231830.tif 000007